(57)【要約】      （修正有）【課題】細菌が多く含まれ、着色した汚い汚染水を簡単に浄化して美味しい飲料水とする浄水装置を提供する。【解決手段】ナノテクビーム発生金属体を含む槽１と、活性炭を含む槽３と、ミネラル水生成風化花崗岩を含む槽４，５，６とを具備したことにより、除菌、脱色、脱臭し、活性炭により、完全に脱色し、風化花崗岩によりミネラル水を生成する。【選択図】図１
0003183888.tif 000002
【実用新案登録請求の範囲】
【請求項１】
ナノテクビーム発生金属体を含む槽と、活性炭を含む槽と、ミネラル水生成風化花崗岩を含む槽とを具備したことを特徴とする浄水装置。
【請求項２】
前記ナノテクビーム発生金属体は、金属に三角形を刻設し、その内面又は外面に三角形を３個以上刻設したものである請求項１記載の浄水装置。
【請求項３】
前記ナノテクビーム発生金属体は、金属体に三角形を刻設し、該三角形の頂点から底辺を貫いて直線を刻設し、該直線にＶ字をＶ字の下端が直線に乗るように複数形成したものである請求項１又は２記載の浄水装置。
【請求項４】
前記金属は、チタン又はステンレスである請求項１〜３のいずれかに記載の浄水装置。
【請求項５】
前記ミネラル水生成風化花崗岩は、粒度小から大となるように複数の層を通過するように構成する請求項１〜４のいずれかに記載の浄水装置。
【考案の詳細な説明】
【技術分野】
【０００１】
この考案は、汚染された原水から細菌、有機物、無機物等の汚染物を除去する浄水装置に係り、詳記すれば、ナノテクビームイオンにより殺菌、除臭し、且つ美味しい飲料水とすることができる浄水装置に関する。
【背景技術】
【０００２】
世界各地では、地球温暖化による気候変動、森林の乱開発、災害及び干ばつなどの影響による水不足が深刻化している。
【０００３】
国連の統計によると、不衛生な水が原因で毎年1800万人の子供達が死亡し、2025年までには、30億人の人が水不足に直面する恐れがあると言われている。
【０００４】
従って、世界各地では、安全な飲料水をどう確保するかが大きな課題となっている。
【０００５】
日本の水道水を浄化する浄水装置は、すでに多数市販されている。しかしながら、東南アジアのように細菌が多く含まれ、着色した汚い汚染水を簡単に浄化して飲料水とする装置は、未だ知られていない。
【考案の開示】
【考案が解決しようとする課題】
【０００６】
この考案は、このような点に着目してなされたものであり、細菌が多く含まれ、着色した汚い汚染水を簡単に浄化して美味しい飲料水とすることができる浄水装置を提供することを目的とする。
【０００７】
上記目的に沿う本考案の構成は、ナノテクビーム発生金属体を含む槽と、活性炭を含む槽と、ミネラル水生成風化花崗岩を含む槽とを具備したことを特徴とする。
【０００８】
ナノテクビーム発生金属体としては、金属好ましくは、チタンに三角形を刻設し、その内面又は外面に三角形を３個以上刻設したものを使用することができる（請求項２）。
【０００９】
ナノテクビーム発生金属体としては、金属体に三角形を刻設し、該三角形の頂点から底辺を貫いて直線を刻設し、該直線にＶ字をＶ字の下端が直線に乗るように複数形成したものが好ましい（請求項３）。
【００１０】
ミネラル水生成風化花崗岩は、粒度小から大となるように複数の層を通過するように構成するのが好ましい（請求項４）。
【考案の効果】
【００１１】
本考案によれば、細菌を多量に含有し着色した汚い汚染水がナノテクビームイオンに触れることにより、殺菌され、除臭され、飲料に適した美味しい水とすることができる。
【図面の簡単な説明】
【００１２】
【図１】本考案の浄水装置の一実施例を示す縦断面図である。
【図２】本考案の浄水装置の一実施例を示す横断面図である。
【図３】本考案のナノテクビームイオン発生金属板を示す斜視図である。
【符号の説明】
【００１３】
１                ナノテクビームイオン発生金属体を入れた槽
２                ナノテクビームイオン発生金属体
３                活性炭を収容した槽
４                風化花崗岩の砂層
５                風化花崗岩の小さい石の槽
６                風化花崗岩の大きい石の槽
１２              浄水装置
【考案を実施するための最良の形態】
【００１４】
以下、本考案の好ましい実施の形態を、添付図面に基づいて詳細に説明する。
【００１５】
本考案に使用する原水としては、海水、河川水、井戸水、地下水、プール水、汽水等のあらゆる汚染水が挙げられる。
【００１６】
図１及び図２に示すように、被処理水は、四角形の浄水装置１２のナノテクビームイオン発生金属体２を入れた槽１に流入口(図示せず)から流入する。これによって、被処理水は、殺菌、除臭され、水分子を小さくして美味しい水に変化する。不純物は、下に沈殿する。この沈殿した不純物を定期的に除去するため、ナノテクビームイオン発生金属体２を入れた槽１は、二つ設けている。このようにすれば、浄水装置の運転中でも清掃できるからである。板状のナノテクビームイオン発生金属体２は、槽１の中間に設けた棚に固定しても上から吊り下げるようにしてもよい。
【００１７】
この槽１の上端から上澄み水は活性炭を収容した槽３に流入する。上澄み水は着色が除去されているが、多少着色していても活性炭槽３を通過することにより、水は無色透明となる。活性炭としては、粒状活性炭を使用している。
【００１８】
活性炭槽３の上端から水は風化花崗岩の砂層４に流入する。砂層４を通過した水は、風化花崗岩の砂層４の下端から風化花崗岩の小さい石の槽５に流入する。水は風化花崗岩の小さい石の槽５の上端から風化花崗岩の大きい石の槽６に流入する。風化花崗岩の大きい石の槽６には、蛇口７が取り付けられている。蛇口７をひねることにより、浄化した飲料水として取り出すことができる。従って、被処理水は、ナノテクビームイオン発生金属体２を入れた槽１、活性炭槽３、砂層４、小さい石の槽５及び大きい石の槽６に、十分接触している。
【００１９】
実際には、図１及び図２に示す状態で、装置内に被処理水が導入された状態となる。蛇口７から水を取り出すことにより、その分だけ被処理水が装置内に流入するようになっている。
【００２０】
ナノテクビーム発生金属体２は、図３に示す如く、チタンのような金属板８に、三角形９を刻設し、三角形９の頂点から底辺を貫いて直線１０を刻設し、該直線にＶ字１１をＶ字の下端が直線１０に乗るように４個形成されている。このように形成することにより、殺菌、消臭作用を有するナノテクビームが発生する。このナノテクビームにより、水が小さい分子に変化し、味が美味しくなる。
【００２１】
Ｖ字１１の個数は、特に限定されないが２個以上であるのが好ましい。三角形９の内面に更に三角形を１個若しくは２個刻設するのが好ましい。三角形９の内面又は外面に３個以上の三角形を刻設しただけでもナノテクビームが発生する。
【００２２】
図３に示す模様は、金属板に形成したが、金属棒に形成しても良く、金属体の種類は特に限定されない。また、金属としては、チタン、ステンレスが好適に使用できる。
【００２３】
本考案に使用する風化した花崗岩としては、海底火山で生成されたものが、太平洋プレートで陸地化してから６０００万年以上経過したものを使用することができる。この風化した花崗岩は、石英、長石、雲母が大豆粒以下に壊れているので、スコップで採取することができる。採取してから篩にかけ、粒度を３種類の大きさに分別する。水は、砂、小、大の風化花崗岩を通過することにより容易にミネラル水となる。この風化した花崗岩の分析結果を次表１に示す。尚、この風化した花崗岩は、遠赤外線を発生することが実験により確認されている。
【００２４】
【表１】
0003183888.tif 000003
上記分析結果から明らかなように、本考案の風化した花崗岩には、ラドンが微量に含有されている。
【産業上の利用可能性】
【００２５】
本考案は、極めて簡単な装置により、大量の細菌を含み且つ着色している汚染水を殺菌、除菌、脱色して美味しい飲料水とすることができ、しかも風化花崗岩により生物に必須なミネラル水にできるので、飲料水不足に悩む東南アジアなどでのその利用が期待される。
【図１】
0003183888.tif 000004
【図２】
0003183888.tif 000005
【図３】
0003183888.tif 000006